(57)【要約】      （修正有）【課題】段ボール箱を開封する際に、手の痛みや切り傷を生じさせる恐れがない段ボール箱を提供する。【解決手段】段ボール箱は、一対の短側板１１の端部と連結された一対の内フラップ１３と、一対の長側板１２の端部と連結された一対の外フラップ１４とを有する。そして、一対の外フラップ１４の少なくとも一方は、外フラップ１４の端部を弦とする弓型の押込部１６を有する。この押込部は弓型であるため、段ボール箱を開封する際に、容易に折り曲がる。このため、押込部を折り込んだ状態で、段ボール箱を開封することができる。【選択図】図１
0003162681.tif 000002
【実用新案登録請求の範囲】
【請求項１】
一対の短側板（１１）と，
前記一対の短側板（１１）と接続された一対の長側板（１２）と，
前記一対の短側板（１１）の端部と連結された一対の内フラップ（１３）と，
前記一対の長側板（１２）の端部と連結された一対の外フラップ（１４）と，
を有し，折り畳まれた前記一対の内フラップ（１３）の上から前記一対の外フラップ（１４）を折り畳むことで，前記一対の短側板（１１）の端部及び前記一対の長側板（１２）の端部を閉止する段ボール箱において，
前記一対の外フラップ（１４）の少なくとも一方には，当該外フラップ（１４）の端部を弦とする弓型の押込部（１６）を有することを特徴とする，
段ボール箱。
【請求項２】
前記弓型の押込部（１６）は，円弧状に形成されたミシン目又は罫線（１７）を含む，請求項１に記載の段ボール箱。
【請求項３】
前記弓型の押込部（１６）は，前記外フラップ（１４）の端部に垂直な１又は複数の切り込み（１８）を有する，請求項１に記載の段ボール箱。
【考案の詳細な説明】
【技術分野】
【０００１】
この考案は，段ボール箱を開封する際に手が切れる事態を防止できる段ボール箱に関する。
【背景技術】
【０００２】
従来から，飲料容器を包装し，運搬するために段ボール箱が用いられている。図５は，下記特許文献１の図９に開示されたラップラウンド式の段ボール箱である。図５に示されるように，この段ボール箱は，複数のマルチパックＭを収容する。そして，それぞれのマルチパックＭは，６缶ずつ飲料容器Ｃを含む。この段ボール箱は，一対の短側板１の縁に内フラップ３が取り付けられている。また，この段ボール箱の一対の長側板２の縁には，外フラップ４が取り付けられている。そして，この段ボール箱を閉じる際には，一対の内フラップ３を折りたたんだ後に，一対の外フラップ４を折りたたむ。
【０００３】
図５に示される段ボール箱は，短側板１の中央部に引裂帯５を有している。このため，この段ボール箱から，マルチパックＭを取り出す場合，通常は，この引裂帯５を用いて段ボール箱を開封する。
【０００４】
一方，例えば，家庭内でこの段ボール箱を開封する場合，ユーザが，一対の外フラップ４が合わさった部分（突合部）に手を入れて，外フラップ４を内フラップ３から引き剥がし，段ボール箱の端面を開封することがある。この際，ユーザの手が段ボールの硬い切断縁（端縁）とほぼ垂直に接触する。このため，ユーザの手に強い圧力が係り，手に痛みを感じる場合や，手に切り傷を負う場合がある。
【０００５】
このような問題を解消するため，特許文献１には，切断縁を押し潰した段ボール箱が開示されている（特許文献１の図１）。また，特許文献１には，外フラップの先端縁に平行な罫線を設けた段ボール箱が開示されている（特許文献１の図２）。後者は，段ボールを開封する際に，先端縁が罫線にそって折れるため，手への当たりが柔らかくなり，手が切れにくくなるとされている（特許文献１の段落［００１４］）。しかし，罫線が直線であるため，この外フラップが折れにくい。このため，この段ボール箱を開封する際に，ユーザが，手に痛みを感じる場合や，手に切り傷を負う場合がある。
【０００６】
また，特許文献２には，フラップの端縁を波型形状とした段ボール箱が開示されている。この段ボール箱は，フラップの合わせ部分に隙間ができる。このため，段ボール内部にゴミが混入するという問題が生ずる。
【０００７】
また，特許文献３には，端縁部に複数の押罫線を有する段ボール箱が開示されている。
【先行技術文献】
【特許文献】
【０００８】
【特許文献１】特開２００２−３７０７２８号公報
【特許文献２】特開２００６−６２７２１号公報
【特許文献３】特開２００８−４４６６４号公報
【考案の概要】
【考案が解決しようとする課題】
【０００９】
上記した段ボール箱をユーザが開封する際に，フラップの端縁にユーザの手が当たることがある。そのような場合，ユーザの手に強い圧力がかかり，手に痛みを感じるほか，手に切り傷を負うことも起こりうる。
【００１０】
そこで，本考案は，段ボール箱を開封する際に，手の痛みや切り傷が生じない，ユーザーフレンドリーな段ボール箱を提供することを目的とする。  
【課題を解決するための手段】
【００１１】
上記の課題は，基本的には，フラップに弓型の押込部を形成することで，フラップの端縁に手が当たる事態を効果的に防止できるという知見に基づくものである。
【００１２】
本考案は，手切れ防止機能付きの段ボール箱に関する。この段ボール箱は，一対の短側板１１の端部と連結された一対の内フラップ１３と，一対の長側板１２の端部と連結された一対の外フラップ１４とを有する。そして，一対の外フラップ１４の少なくとも一方は，外フラップ１４の端部を弦とする弓型の押込部１６を有する。弓型の押込部１６は，例えば，円弧状に形成されたミシン目又は罫線１７により形成される。また，弓型の押込部１６は，外フラップ１４の端部に垂直な１又は複数の切り込み１８を有するものが好ましい。
【考案の効果】
【００１３】
本考案の段ボール箱は，外フラップ１４の端部を弦とする弓型の押込部１６を有する。この押込部は弓型であるため，本考案の段ボール箱を開封する際に，容易に折り曲がる。このため，押込部を折り込んだ状態で，ユーザが本考案の段ボール箱を開封することができる。よって，本考案は，段ボール箱を開封する際に，手の痛みや切り傷が生じない，ユーザーフレンドリーな段ボール箱を提供できる。  
【図面の簡単な説明】
【００１４】
【図１】図１は，本考案に関する段ボール箱の展開図の例を示す図である。
【図２】図２は，一対の外フラップを突合わせた状態を示す図である。
【図３】図３は，押込部に切り込み１８を有する外フラップの例を示す図である。
【図４】図４は，外フラップ部分から段ボール箱を開く様子を示す図である。
【図５】図５は，従来の段ボール箱を示す参考図である。
【考案を実施するための形態】
【００１５】
以下，図面を用いて，本考案を実施の形態を説明する。本考案は，以下の実施の形態に限定されるものではなく，当業者に自明な範囲で適宜修正したものも本考案に含まれる。
【００１６】
図１は，本考案に関する段ボール箱の展開図の例を示す図である。図１に示されるように，本考案の段ボール箱は，短側板１１，長側板１２，内フラップ１３，外フラップ１４，及び外フラップ１４に設けられた弓型の押込部１６を有する。短側板１１，長側板１２，内フラップ１３，及び外フラップ１４の境界には，罫線が設けられており，罫線にそって各要素を折り畳むことができるようにされている。
【００１７】
本考案の段ボール箱の例は，少なくとも一面において外フラップが突合するものである。段ボール箱の外形は，通常六面体状又は四角柱状である。一方，本考案の段ボール箱は，四角柱状でもよいし，八角柱状でもよい。また，本考案の段ボール箱は少なくとも一つの端部にフラップ部を有すればよい。本考案の段ボール箱は，例えば，ＪＩＳ  Ｚ  １５０７に規定されるコード番号０４１０ラップラウンド式の段ボール箱である。本考案の段ボール箱の別の例は，コード番号０２００，０２０１，０２０２，０２０４，０４０３，及び０７１２の段ボール箱である。以下では，上面と下面に，それぞれ一対の内フラップと一対の外フラップを有する段ボール箱を中心に本考案を説明する。
【００１８】
図１に示される段ボール箱は，ワンピースの段ボール箱である。この段ボール箱は，組み立てた際に対向する一対の短側板１１と，一対の長側板１２とを有する。一対の短側板１１と一対の長側板１２とが，この段ボール箱の側面を形成する。短側板１１の一方には，長側板１２と接続するための継代片２０が設けられている。この継代片は，長側板１２に設けられてもよい。本明細書では，便宜的に，端面の長さが短い側板を短側板１１とよび，端面の長さが長い側板を長側板１２とよぶ。しかしながら，短側板１１と長側板１２とは，同じ形状であってもよい。この段ボール箱は，一対の内フラップ１３を折り畳み，その上から一対の外フラップ１４を折り畳むことで，上面又は下面が閉止される。
【００１９】
一対の短側板１１の一方の端部又は両方の端部には，内フラップ１３が形成される。この内フラップ１３は，折り目を介して短側板１１と連続的に接続される。図１の例では，短側板１１の中央部に上面から下面へ至る引裂帯１５が設けられる。この例では，引裂帯１５が，短側板１１の長手方向に沿って形成されている。この例では，引裂帯１５の長手方向の中央部には，切開始部１９が設けられている。突き合わせた２つの切開始部１９を引くことで，引裂帯１５に沿って段ボール箱を開封できる。そして，引裂帯１５は，内フラップ１３にも設けられている。図１の例では，引裂帯１５が，短側板１１及び内フラップ１３に連続して設けられている。
【００２０】
一対の長側板１２の一方の端部又は両方の端部には，外フラップ１４が形成される。この外フラップ１４は，折り目を介して長側板１２と連続的に接続される。一対の外フラップ１４は，通常折り畳まれた一対の内フラップ１３の上に重なるように折り畳まれ，これにより，段ボール箱の上面又は下面を閉止する。
【００２１】
図２は，一対の外フラップを突合わせた状態を示す図である。図２に示される例では，一対の外フラップ１４が突合わさって段ボールの端面を密封している。そして，図２に示される例では，それぞれの段ボール箱において，外フラップ１４の端部を弦とする弓型の押込部１６を有する。図２に示す例では，一対の外フラップ１４の両方に押込部１６が存在する。しかし，押込部１６は，一方の外フラップ１４のみに存在してもよい。
【００２２】
図２に示す例では，一対の外フラップ１４が突合わさった状態となる。そして，外フラップ１４を形成する切り込み溝（ストッロ）部分には，内フラップ１３が存在する。このため，この段ボール箱は，突合わせ部分に隙間が生じない。このため，図２に示す段ボール箱は，内部にゴミ等の異物が混入する事態を効果的に防止できる。
【００２３】
また，弓型の押込部における弓型は，厳密な弓型である必要はない。弓型の弦に相当する部分の形状の例は，直線である。しかし，弦に相当する部分の形状は，直線状でなくてもよく，例えば波状であってもよい。また，弓型の円弧に相当する部分の形状は，中点に近づくほど弦からの距離が遠くなる曲面を有していればよい。２つの押込部１６が合わさった形状は，例えば，楕円形であってもよいし，いわゆるラグビーボール状であってもよい。押込部１６を形成する弓型の弦からの最大距離の例は５ｍｍ以上４ｃｍ以下である。この距離は，１ｃｍ以上２ｃｍ以下でもよい。押込部１６を形成する弓型の弦の長さは，例えば，５ｃｍ以上２０ｃｍ以下であり，５ｃｍ以上１５ｃｍ以下でもよい。
【００２４】
弓型の押込部１６は，段ボール箱を開封する際に，谷折りされる部分である。弓型の押込部１６の例は，円弧状に形成されたミシン目又は罫線１７を含むものである。ミシン目又は罫線１７は，外フラップ１４の裏面に形成されることが好ましい。外フラップ１４の裏面とは，外フラップ１４を折り畳んだ際に，外部に露出しない面を意味する。一方，ミシン目又は罫線１７が，外フラップ１４の裏面のみに存在する場合，ユーザが段ボール箱の外観から押込部１６を視認できない。このため，外フラップ１４の表面には押込部１６の存在を示す描画，ミシン目又は罫線が設けられてもよい。
【００２５】
図３は，押込部に切り込み１８を有する外フラップの例を示す図である。この態様の段ボール箱は，弓型の押込部１６が，外フラップ１４の端部に垂直な１又は複数の切り込み１８を有する。
【００２６】
図３に示される例では，ひとつの押込部１６に２つの切り込み１８が設けられている。切り込み１８が存在することで，押込部１６のうち指が当たる部分が折り畳みやすくなる。さらに，切り込み１８が存在することで，ユーザが押込部１６を認識しやすくなる。
【００２７】
ひとつの押込部１６に２つ以上の切り込み１８が存在する場合，切り込み１８の間隔は，適宜調整すればよい。切り込み１８の間隔の例は，１ｃｍ以上２０ｃｍ以下であり，５ｃｍ以上１０ｃｍ以下でもよい。一方，中央部に位置する２つの切り込み１８は，例えば，５ｃｍ以上２０ｃｍ以下の間隔で形成されることが好ましい。２つの切り込み１８の間隔が狭いと，複数の切片が谷折りされることとなり，間隔が広いと押込部１６の切片が谷折りされにくいからである。このような観点から，中央部に位置する２つの切り込み１８は，６ｃｍ以上１５ｃｍ以下であることが好ましい。
【００２８】
本考案の段ボール箱は，公知の方法に従って製造できる。次に，図１に示す展開図から段ボール箱を組み立てる工程を説明する。短側板１１及び長側板１２を罫線に従って折り畳む。そして，継代片２０に接着剤を塗布し，一方の長側板１２と継代片２０とを貼り合わせる。次に，下面の内フラップ１３を折り畳む。その後，接着剤を用いて，折り畳まれた内フラップ１３の上から外フラップ１４を折り畳む。このようにして段ボール箱の下面を形成する。次に，適宜，飲料容器Ｃなどの内容物を段ボール内に積載する。その後，上面の内フラップ１３を折り畳む。その後，接着剤を用いて，折り畳まれた内フラップ１３の上から外フラップ１４を折り畳む。このようにして段ボール箱の上面を形成する。
【００２９】
次に，本考案の段ボール箱の使用例を説明する。一方の長側面１２を底面として用いる場合，切開始部１９を手前に引くことにより，引裂帯１５が剥離し，段ボール箱が開状態となる。すると，段ボール箱の収容物が露出することとなる。
【００３０】
一方，内フラップ１３及び外フラップ１４で覆われた面を下面とする場合，上面に位置する外フラップ１４を取り外すことで，段ボール箱を開状態とする。図４は，外フラップ部分から段ボール箱を開く様子を示す図である。図４に示されるように，外フラップ１４の突合部から段ボール箱を開く場合，押込部１６が谷折りされた状態となる。この際，押込部１６が指と接触するため，外フラップ１４の端縁が直接指に当たらない。  
【産業上の利用可能性】
【００３１】
本考案は，手切れ防止機能を有する段ボール箱に関する。このため本考案は，製紙産業において利用されうる。  
【符号の説明】
【００３２】
１  短側板
２  長側板
３  内フラップ
４  外フラップ
５  引裂帯
１１  短側板
１２  長側板
１３  内フラップ
１４  外フラップ
１５  引裂帯
１６  押込部
１７  ミシン目又は罫線
１８  切り込み
１９  切開始部
２０  継代片
【図１】
0003162681.tif 000003
【図２】
0003162681.tif 000004
【図３】
0003162681.tif 000005
【図４】
0003162681.tif 000006
【図５】
0003162681.tif 000007